(57)【要約】【課題】  印刷コンテンツの印刷の成否の判定をデジタルテレビ装置が行うことによって、ユーザーは、失敗した印刷コンテンツの課金を取り消す又は再印刷をすることができ、事業者は、印刷コンテンツの失敗に対するサポートによるコストの増大や時間のロスを低減することができる印刷システム、デジタルテレビ装置、印刷制御方法を提供する。【解決手段】  デジタル放送を介してデジタルテレビ装置が取得した印刷コンテンツを印刷するシステムであって、印刷状態を識別する識別情報と共に前記印刷コンテンツを印刷する印刷手段と、前記識別情報を基に、前記印刷コンテンツの印刷の成否を判定する判定手段とを有することを特徴とするシステムを提供する。【選択図】          図１
2005173757.tif 000002
【特許請求の範囲】
【請求項１】
デジタル放送を介してデジタルテレビ装置が取得した印刷コンテンツを印刷するシステムであって、
印刷状態を識別する識別情報と共に前記印刷コンテンツを印刷する印刷手段と、
前記識別情報を基に、前記印刷コンテンツの印刷の成否を判定する判定手段とを有することを特徴とするシステム。
【請求項２】
前記印刷手段が印刷した前記印刷コンテンツを前記デジタルテレビ装置に入力する入力手段と、
前記入力手段が入力した前記印刷コンテンツの前記印刷状態を認識する認識手段とを更に有することを特徴とする請求項１記載のシステム。
【請求項３】
前記識別情報は、前記印刷コンテンツの印刷毎に固有の模様であることを特徴とする請求項１記載のシステム。
【請求項４】
前記識別情報は、ユーザーに不可視なインクを使用していることを特徴とする請求項１記載のシステム。
【請求項５】
前記識別情報は、前記印刷コンテンツを確認できると共に、ユーザーに不可視な電子透かしであることを特徴とする請求項１記載のシステム。
【請求項６】
前記入力手段は、前記デジタルテレビ装置に接続されたスキャナを介して前記印刷手段が印刷した前記印刷コンテンツを入力することを特徴とする請求項１記載のシステム。
【請求項７】
前記デジタルテレビ装置は、メモリカードを差込可能な差込手段を有し、
前記入力手段は、前記スキャナが読み取った前記印刷手段が印刷した前記印刷コンテンツを前記メモリカードを介して入力することを特徴とする請求項６記載のシステム。
【請求項８】
前記デジタルテレビ装置は、ネットワークに接続可能なモデムを有し、
前記入力手段は、前記スキャナが読み取った前記印刷手段が印刷した前記印刷コンテンツを前記ネットワークを介して入力することを特徴とする請求項６記載のシステム。
【請求項９】
前記識別情報は、前記印刷コンテンツの印刷毎に固有の模様であって、
前記認識手段は、前記模様から前記識別情報に該当する前記印刷コンテンツを示すものであることを確定することを特徴とする請求項１記載のシステム。
【請求項１０】
前記識別情報は、前記印刷コンテンツを確認できると共に、ユーザーに不可視な電子透かしであって、
前記認識手段は、前記電子透かしから前記識別情報に該当する前記印刷コンテンツを示すものであることを確定することを特徴とする請求項１記載のシステム。
【請求項１１】
前記判定手段は、前記印刷手段が印刷した前記印刷コンテンツと前記デジタルテレビ装置が取得した前記印刷コンテンツとの差異を比較し、前記差異が閾値以上である場合は前記印刷コンテンツの印刷が失敗であると判定することを特徴とする請求項１記載のシステム。
【請求項１２】
前記判定手段は、前記印刷コンテンツの印刷が失敗であると判定した場合に、前記印刷によって行われた課金を取り消すことを特徴とする請求項９記載のシステム。
【請求項１３】
前記判定手段は、前記印刷コンテンツの印刷が失敗であると判定した場合に、前記印刷コンテンツを再度印刷することを許可することを特徴とする請求項９記載のシステム。
【請求項１４】
デジタル放送を介して印刷コンテンツを取得するデジタルテレビ装置であって、
前記印刷コンテンツの印刷状態を識別する識別情報を生成する識別情報生成手段と、
前記識別情報と共に前記印刷コンテンツを出力する出力手段とを有することを特徴とするデジタルテレビ装置。
【請求項１５】
デジタル放送を介してデジタルテレビ装置が取得した印刷コンテンツの印刷を制御する印刷制御方法であって、
前記印刷コンテンツの印刷を行うステップと、
前記印刷コンテンツの印刷による料金を課金するステップと、
前記印刷ステップで印刷された前記印刷コンテンツの印刷の成否を判定するステップと、
前記判定ステップで前記印刷コンテンツの印刷が成功していないと判断した場合に、前記課金ステップで課金した前記料金を取り消すステップとを有することを特徴とする印刷制御方法。
【請求項１６】
デジタル放送を介してデジタルテレビ装置が取得した印刷コンテンツの印刷を制御する印刷制御方法であって、
前記印刷コンテンツの印刷を行うステップと、
前記印刷コンテンツの印刷による料金を課金するステップと、
前記印刷ステップで印刷された前記印刷コンテンツの印刷の成否を判定するステップと、
前記判定ステップで前記印刷コンテンツの印刷が成功していないと判断した場合に、前記印刷コンテンツの印刷を再度行うステップとを有することを特徴とする印刷制御方法。
【請求項１７】
デジタル放送を介してデジタルテレビ装置が取得した印刷コンテンツの印刷を制御する印刷制御方法であって、
前記印刷コンテンツの印刷を行うステップと、
前記印刷ステップで印刷された前記印刷コンテンツの印刷の成否を判定するステップと、
前記判定ステップで前記印刷コンテンツの印刷が成功していないと判断した場合に、前記印刷ステップで印刷された前記印刷コンテンツの再印刷を許可するステップとを有することを特徴とする印刷制御方法。
【発明の詳細な説明】
【技術分野】
【０００１】
本発明は、デジタル放送を介して取得した印刷コンテンツを印刷する印刷システムに関する。
【背景技術】
【０００２】
ＢＳデジタル放送に続いてＣＳデジタル放送が開始され、今後、地上波デジタル放送の開始も予定されている。これらのデジタル放送では、従来の放送サービスに加えて、新たにデータ放送サービスが可能となった。データ放送サービスの特徴の一つとして、双方向性が挙げられ、視聴者は、データ放送番組の視聴中にリモコンを用いて画面上のフォーカスを操作することで好みの画面に遷移することができる。データ放送サービスのもう一つの大きな特徴は、様々なメディアのコンテンツを扱えることである。従来の放送は、主に動画と音声だけであったが、データ放送では文字・図形や静止画なども扱えるようになった。ゲームのような実行可能なプログラムは、現段階のデータ放送では扱うことができないが、将来的には実現される可能性がある。また、デジタル放送では、データ放送画面の表現に強力なレイアウト記述言語を採用することで、豊かな画面表現も可能となっている。
【０００３】
このようなデータ放送の双方向性とマルチメディアコンテンツの特徴を活かして、様々なサービスが行われている。例えば、番組内容に連動したデータの提示を行い、視聴者に付加的な情報の提供を実現している。その他、オンラインショッピングやオンラインバンキングなども実現されている。
【０００４】
更に、現在のデジタル放送では実現されていないが、検討が進められているサービスの一つにデータ放送を利用した印刷サービスがある。静止画や文字を多用するデータ放送は、印刷に適しており、実際のデータ放送番組内でも印刷して残しておきたい、或いは、活用したいと思われる場面が多くでてくる。例えば、ＵＲＬや詳細な説明文などのテキスト情報の他、地図、時刻表や写真などの静止画像は、視聴者が印刷したい情報になりえる。印刷を前提としたデータ放送番組も考えられる。例えば、店やテーマパークの紹介番組の中で、その紹介した場所に関するクーポンやチケット、地図、商品カタログなどの印刷データを、放送データに多重して送り、希望する視聴者に手軽にプリントアウトしてもらうことなどが考えられる。これらの印刷サービスはデータ放送中の広告にも有用である。クーポンをつければ、視聴者の関心も高くなるし、関心を持った視聴者に対しては、商品紹介をプリントアウトすることによって、より詳細な情報をすぐに提供できるようになる。
【０００５】
印刷サービスをデータ放送で実現するためには、放送規格の拡張が必要となる。印刷コンテンツの入手方法としては、放送データ内に多重化させる方法と、デジタルテレビ装置のモデムを介してインターネット上からダウンロードする方法が考えられる。後者の方法については、現在のＢＳデジタル放送では、モデムの通信速度が低速であることに加えてインターネットとの整合性がよくないために実現が難しいが、ＣＳデジタル放送以降では、モデムが高速になると共にインターネットとの整合性もよくなっていく可能性が高いため実現される可能性がある。
【０００６】
印刷コンテンツを放送データとして多重化する方法において、印刷コンテンツのフォーマットとして考えられるのは、現段階で幾つか存在する。例えば、その一つとして、データ放送のデータと同じＢＭＬ（Ｂｒｏａｄｃａｓｔ  Ｍａｒｋｕｐ  Ｌａｎｇｕａｇｅ）を使用することが考えられる。ＢＭＬとは、ＸＨＴＭＬ１．０（ｅｘｔｅｎｓｉｂｌｅ  ＨＴＭＬ１．０）を放送用に拡張したものである。ＢＭＬを使用するということは、上述のように、データ放送の画面を形成する画像や文字などのモノメディアコンテンツを、そのまま印刷コンテンツに使用することが容易となる。ＢＭＬのスタイル記述には、ＣＳＳ（Ｃａｓｃａｄｉｎｇ  Ｓｔｙｌｅ  Ｓｈｅｅｔｓ）を放送用に拡張したものを採用している。現状で印刷コンテンツ用のフォーマットにＢＭＬを使用するには、ＢＭＬの要素や属性及びＣＳＳの拡張が必要になる。データ放送コンテンツを印刷コンテンツに流用する場合には、データ放送データの送信時に、視聴用ＣＳＳと印刷用ＣＳＳの二つを同時に送ることになる。
【０００７】
また、印刷の動作制御もＢＭＬの動作記述言語であるＥＣＭＡＳｃｒｉｐｔを放送拡張関数として新たに定義する必要がある。放送拡張関数として定義するのは、例えば、デジタルテレビ装置からプリンタに対して、プリントの開始を依頼する関数や、プリントの状態を問い合わせる関数などが考えられる。
【０００８】
データ放送番組中に視聴者に印刷を促す形態の例を図１６に示す。図１６（ａ）は、印刷コンテンツがテレビ画面上に提示される場合を示す図である。図１６（ａ）では、クーポン券の印刷プレビューを提示し、視聴者が印刷ボタンを選択すると、デジタルテレビ装置がプリンタと接続されていれば、クーポン券がその場で印刷される。図１６（ｂ）は、視聴者に印刷物があることだけを提示し、実際の内容は印刷してからでなければわからない場合を示す図である。図１６（ｂ）においても、視聴者が印刷ボタンを選択すると、商品紹介の印刷物がその場で印刷される。チケットやクーポン券などは、図１６（ａ）に示す形態が使用され、詳細な情報を必要とする商品の説明などでは図１６（ｂ）に示す形態が使用されることが想定される。データ放送画面を形成するモノメディアコンテンツをそのまま印刷コンテンツとして使用する場合は、図１６（ａ）に示す形態が望ましい。いずれにせよ、上述の例では、視聴者がリモコンを用いて印刷ボタンを選択すると、印刷コンテンツがその場で印刷される。
【０００９】
図１６に示す例は、無料の印刷コンテンツの印刷が前提となる。一方、有料の印刷コンテンツを印刷する場合も想定しなければならない。データ放送番組中に視聴者に有料の印刷を促す形態の例を図１７に示す。図１７（ａ）は、肖像権のある写真を含む印刷コンテンツの印刷を示している。図１７（ｂ）に示すように、視聴者が印刷ボタンを選択すると、課金に関するメッセージが表示される。その後、視聴者が了承した段階で、印刷が実行されると同時に、課金情報がデジタルテレビ装置、もしくはそれに付随するＩＣカードに記憶されることになる。このように、視聴者は、印刷コンテンツを欲しい場合には、リモコンを操作するだけで、比較的簡単に印刷コンテンツを入手することができる。また、放送事業者、或いは、商品提供者にとっても、簡単且つ低コストで視聴者に商品を届けることができるようになる。
【００１０】
また、図１７に示す例では、コンテンツの印刷枚数を限定しない印刷が前提となる。一方、視聴者毎、或いは、デジタルテレビ装置毎に印刷枚数を限定する場合も想定できる。例えば、肖像権のある写真や画像及び制限のつくチケットなどの印刷コンテンツの印刷は、放送局側で、ある程度、印刷部数の限度を設定したい場合と言える。また、特定の視聴者のみが、同一の印刷コンテンツに対して多数の印刷機会を持ち、一方で多少視聴が遅れた視聴者が印刷できなくなるのを避け、できるだけ多くの視聴者に、均等な印刷機会を設けたい場合にも、視聴者毎、或いは、デジタルテレビ装置毎に印刷枚数の限定を設けたいと言える。
【００１１】
このような場合、視聴者が印刷を実行すると同時に、印刷履歴情報がデジタルテレビ装置の特定記憶領域に記憶される。その後、同様の印刷コンテンツを印刷する際に、特定記憶領域から印刷履歴情報を参照し、もし印刷枚数が印刷限度枚数を越えている場合は、印刷を制限する処理がなされることが考えられる。
【００１２】
つまり、データ放送の印刷サービスにおいては、無料且つ無制限に印刷可能なコンテンツだけでなく、有料、或いは、印刷枚数の制限を設けた印刷コンテンツもある。これらコンテンツの利用は、視聴者に更なる多様なサービスをもたすことができる。
【００１３】
なお、デジタル放送に関する技術としては従来から幾つか提案されている（例えば、特許文献１）。
【特許文献１】特開２００１−１３６４６７号公報
【発明の開示】
【発明が解決しようとする課題】
【００１４】
しかし、上述した印刷サービスの実現には、視聴者が行う印刷に対して、放送局が意図した一意性のある印刷結果が得られることが不可欠となる。有料コンテンツの印刷が何らかの原因によって失敗した場合に、印刷コンテンツの課金を行わない、或いは、課金が行われた場合にはそれを取り消す仕組みが必要となる。同様に、印刷枚数制限があるコンテンツの印刷が失敗した場合には、再度印刷を許可する仕組みが必要となる。更に、不特定多数の視聴者による印刷であるため、印刷失敗後の処理を、デジタルテレビ装置側のみの処理で完結させることが必要となる。
【００１５】
デジタルテレビ装置が印刷結果を把握する方法としては、デジタルテレビ装置に直接、或いは、ネットワークを介して接続されているプリンタが、プリンタの状態や印刷結果を通知する方法が考えられる。しかし、有料コンテンツの場合、プリンタが正常に印刷を終えたと判断しても、最終的には視聴者が確認を行い、もし印刷結果に何らかの失敗がある場合は、再度印刷を行えるようにすることが望ましい。
【００１６】
そこで、本発明は、印刷コンテンツの印刷の成否の判定をデジタルテレビ装置が行うことによって、ユーザーは、失敗した印刷コンテンツの課金を取り消す又は再印刷をすることができ、事業者は、印刷コンテンツの失敗に対するサポートによるコストの増大や時間のロスを低減することができる印刷システム、デジタルテレビ装置、印刷制御方法を提供することを例示的目的とする。
【課題を解決するための手段】
【００１７】
上記目的を達成するために、本発明の一側面としての印刷システムは、デジタル放送を介してデジタルテレビ装置が取得した印刷コンテンツを印刷するシステムであって、印刷状態を識別する識別情報と共に前記印刷コンテンツを印刷する印刷手段と、前記識別情報を基に、前記印刷コンテンツの印刷の成否を判定する判定手段とを有することを特徴とする。
【００１８】
本発明の別の側面としてのデジタルテレビ装置は、デジタル放送を介して印刷コンテンツを取得するデジタルテレビ装置であって、前記印刷コンテンツの印刷状態を識別する識別情報を生成する識別情報生成手段と、前記識別情報と共に前記印刷コンテンツを出力する出力手段とを有することを特徴とする。
【００１９】
本発明の更に別の側面としての印刷制御方法は、デジタル放送を介してデジタルテレビ装置が取得した印刷コンテンツの印刷を制御する印刷制御方法であって、前記印刷コンテンツの印刷を行うステップと、前記印刷コンテンツの印刷による料金を課金するステップと、前記印刷ステップで印刷された前記印刷コンテンツの印刷の成否を判定するステップと、前記判定ステップで前記印刷コンテンツの印刷が成功していないと判断した場合に、前記課金ステップで課金した前記料金を取り消すステップとを有することを特徴とする。
【００２０】
本発明の更に別の側面としての印刷制御方法は、デジタル放送を介してデジタルテレビ装置が取得した印刷コンテンツの印刷を制御する印刷制御方法であって、前記印刷コンテンツの印刷を行うステップと、前記印刷コンテンツの印刷による料金を課金するステップと、前記印刷ステップで印刷された前記印刷コンテンツの印刷の成否を判定するステップと、前記判定ステップで前記印刷コンテンツの印刷が成功していないと判断した場合に、前記印刷コンテンツの印刷を再度行うステップとを有することを特徴とする。
【００２１】
本発明の更に別の側面としての印刷制御方法は、デジタル放送を介してデジタルテレビ装置が取得した印刷コンテンツの印刷を制御する印刷制御方法であって、前記印刷コンテンツの印刷を行うステップと、前記印刷ステップで印刷された前記印刷コンテンツの印刷の成否を判定するステップと、前記判定ステップで前記印刷コンテンツの印刷が成功していないと判断した場合に、前記印刷ステップで印刷された前記印刷コンテンツの再印刷を許可するステップとを有することを特徴とする。
【００２２】
本発明の更なる目的又はその他の特徴は、以下、添付図面を参照して説明される好ましい実施例によって明らかにされるであろう。
【発明の効果】
【００２３】
本発明によれば、印刷コンテンツの印刷の成否の判定をデジタルテレビ装置が行うことによって、ユーザーは、失敗した印刷コンテンツの課金を取り消す又は再印刷をすることができ、事業者は、印刷コンテンツの失敗に対するサポートによるコストの増大や時間のロスを低減することができる印刷システム、デジタルテレビ装置、印刷制御方法を提供することができる。
【発明を実施するための最良の形態】
【００２４】
以下、添付図面を参照して、本発明の好適な実施の形態について説明する。なお、各図において、同一の部材については同一の参照番号を付し、重複する説明は省略する。図１は、本発明の一側面としての印刷システム１の全体構成を示すブロック図である。
【００２５】
図１を参照するに、印刷システム１は、デジタルテレビ装置２０と、プリンタ３０とが、直接、或いは、ネットワークを介して双方向通信が可能に接続されている。また、デジタルテレビ装置２０とメモリカードリーダ４０も、直接、或いは、ネットワークを介して接続されている。なお、デジタルテレビ装置２０自体にメモリカードの入力用のスロットを有している場合もあり、その場合、メモリカードリーダ４０は不要となる。
【００２６】
デジタルテレビ装置２０は、インターネット７０を介して放送局１０（又は放送局１０が有するデータセンターなど（以下、「放送局１０」と総括する。））に接続されており、デジタルテレビ装置２０から放送局１０への通信が可能となっている。
【００２７】
また、デジタルテレビ装置２０は、放送局１０から送信されるデジタル放送ＤＢの受信が可能である。デジタル放送ＤＢは、本実施形態では、通信衛星８０又はＣＡＴＶを通じて通信される（なお、図１においては、通信衛星８０を図示している。）。デジタル放送ＤＢにはデータ放送が含まれる。データ放送の視聴コンテンツの記述フォーマットには、現在ＢＳ及びＣＳデジタルデータ放送で使用されているＢＭＬを使用する。また、デジタル放送中のデータにはデータ放送で使用する印刷コンテンツも多重化されて送信される。印刷コンテンツのフォーマットには、上述した視聴用と同様のＢＭＬ、或いは、ＢＭＬに相当する言語の使用が考えられるが、これに限定したものではない。なお、ＢＭＬに相当する言語とは、例えば、ＢＭＬと同様に、ＸＭＬ（Ｅｘｔｅｎｓｉｂｌｅ  Ｍａｒｋｕｐ  Ｌａｎｇｕａｇｅ）を拡張したマークアップ言語が挙げられる。ＢＭＬやＢＭＬに相当する言語が、印刷コンテンツのフォーマットとして送信される場合は、データ放送視聴コンテンツと印刷コンテンツは同一のデータとして、又は、どちらかのコンテンツがもう片方のコンテンツに包含された形態で送られてくる場合があり、本実施形態では、その場合も想定している。
【００２８】
図２は、図１に示すデジタルテレビ装置２０の構成を示すブロック図である。図２において、モジュール間の実線は制御の流れを示し、点線はデータの流れを示す。以下、各モジュールの説明を行う。
【００２９】
デジタルテレビ装置２０は、受信部２０５を介して、放送局１０から送信されたデジタル放送データを受信する。デジタル放送データに含まれるデータ放送視聴用コンテンツ９０２（以下、「視聴コンテンツ９０２」と称する。）は、受信部２０５にて受信され、図示しない分離部において、他のデータと分離された後、蓄積部２０３に蓄積される。
【００３０】
通常のデータ放送では、蓄積部２０３内に蓄積された視聴コンテンツ９０２は、放送データ処理部２０２の指示に従って、適時に表示部２０１に描画データ９０８として送られ、視聴者に提示される。
【００３１】
データ放送番組の視聴中に視聴者が図示しないリモコンのキーを押すと、かかるキー情報であるリモコン情報９０１が、リモコン入力部２０４を介して、放送データ処理部２０２に送られる。
【００３２】
放送データ処理部２０２は、リモコン情報９０１を受け取ると、蓄積部２０３に格納された視聴コンテンツ９０２に記述されたリモコン情報９０１に該当する動作手順を入手し、かかる動作記述に従って適正な処理を行い、場合によっては表示部２０１に対して表示制御情報９０７を送る。例えば、リモコン情報９０１が画面上のフォーカスを移動させるリモコンの矢印キーに関する情報であった場合、放送データ処理部２０２は、蓄積部２０３に格納された視聴コンテンツ９０２にアクセスし、どの方向にフォーカスを移動させればいいかを特定し、表示部２０１に対して、フォーカスの移動のための表示制御情報９０７を出す。また、フォーカスの移動に伴う割り込み事象処理があれば、かかる割り込み事象処理を実行する。なお、本実施形態において、図示しないリモコンは、現在のＢＳデジタル放送で使用されているものと同等の機能を有するものを想定している。
【００３３】
一方、データ放送番組が放送局１０との双方向通信を行う番組である場合、放送データ処理部２０２は、モデム２０６に対して、モデム制御情報９０４を出し、放送局１０との接続や、データの送受信指示などを行う。
【００３４】
また、デジタルテレビ装置２０は、蓄積部２０３の他にも、データを記憶する領域として永続記憶部２０８を有する。永続記憶部２０８は、視聴コンテンツ９０２のような一時的なデータではなく、ある一定期間記憶が必要とされるデータを記憶する。かかるデータとして、例えば、視聴者の視聴情報、印刷情報及び課金情報（以下、「永続記憶情報９１１」と称する。）などがある。永続記憶部２０８は、具体的には、デジタルテレビ装置２０のＮＶＲＡＭやＩＣカード内の記憶領域である。
【００３５】
ここでデータ放送番組が印刷を可能とする番組である場合、放送局１０からデジタルテレビ装置２０に送信されるコンテンツには、視聴コンテンツ９０２の他に、印刷コンテンツ９０６が含まれる。印刷コンテンツ９０６は、視聴コンテンツ９０２と同じ伝送方式で伝送されることが考えられるが、これに限定したものではない。
【００３６】
印刷コンテンツ９０６は、データ放送の印刷処理の形態によって、蓄積部２０３に蓄積されるケースと、蓄積部２０３に蓄積されず、そのままデジタルテレビ装置２０を介してプリンタ３０に渡されるケースが考えられる。デジタルテレビ装置２０が、印刷コンテンツ９０６に対してフォーマット処理や画像処理等の処理を行う場合は前者のケースとなるが、デジタルテレビ装置２０が、印刷コンテンツ９０６に対して何も行わず、印刷コンテンツ９０６に対するフォーマット処理や画像処理等をプリンタ３０が行う場合は、後者のケースとなる。本実施形態では、主に前者の場合を想定しており、印刷コンテンツ９０６は必ず蓄積部２０３に蓄積される。
【００３７】
図１６及び図１７に示す例は、データ放送番組放映中に、同番組に関連する印刷コンテンツが送信されてくる場合を示している。この場合、印刷コンテンツ９０６は、蓄積部２０３に既に蓄積されているか、或いは、すぐに受信可能な状態にある。印刷コンテンツ９０６をいつ受信・蓄積するかは、放送規格や運用規程、視聴コンテンツ９０２の記述内容及び印刷コンテンツ９０６の特性（無料か有料、枚数制限の有無）等に依存する。但し、視聴コンテンツ９０２と印刷コンテンツ９０６とが同一又は包含関係にある場合は、印刷コンテンツ９０６が蓄積部２０３に既に蓄積されていることになる。
【００３８】
ここで視聴者が、印刷ボタンにフォーカスを移し、リモコンの決定キーを押すと、放送データ処理部２０２は、リモコン入力部２０４からリモコン情報９０１（ここでは決定キーに関する情報）を受け取る。印刷ボタン上にフォーカスがある場合にリモコンの決定キーが押された時の動作記述は、視聴コンテンツ９０２内にあるため、放送データ処理部２０２は蓄積部２０３にアクセスし、リモコン情報９０１（ここでは決定キーに関する情報）に該当する動作手順を入手して実行する。かかる動作手順が、印刷コンテンツ９０６の印刷処理に関するものである場合、印刷コンテンツ９０６は、以下に示したデータフローによって処理される。なお、以下では、印刷コンテンツ９０６の特性（暗号化の有無）によって、考えられる印刷コンテンツ９０６のフローをいくつか挙げた。
【００３９】
上述の動作手順が、無料、且つ、枚数無制限に印刷可能な印刷コンテンツの印刷に関するものである場合の印刷コンテンツ９０６の流れを示すデータフロー図を図３及び図４に示した。図３は、印刷コンテンツ９０６が蓄積部２０３に格納されている場合のデータフロー図である。図３を参照するに、放送データ処理部２０２は、蓄積部２０３に格納されている印刷コンテンツ９０６を、プリンタ入出力部２０７を介してデジタルテレビ装置２０に接続されているプリンタ３０に送る。
【００４０】
図４は、印刷コンテンツ９０６が蓄積部２０３に格納されていない場合のデータフロー図である。図４を参照するに、放送データ処理部２０２は、視聴者によるリモコンの決定キー押下直後から、受信部２０５にて印刷コンテンツ９０６の受信を開始し、蓄積部２０３に蓄積後、プリンタ入出力部２０７を介してプリンタ３０に送る。
【００４１】
プリンタ３０は、図３又は図４に示した処理を経て印刷コンテンツ９０６の受信を完了すると、印刷を実行する。この際、放送データ処理部２０２は、印刷のための印刷設定情報９０５もプリンタ３０へ送信する。印刷設定情報９０５には、印刷枚数等が含まれる。なお、かかる処理は、有料、且つ、暗号化がされていない印刷コンテンツの印刷でも実行される。
【００４２】
印刷コンテンツ９０６が有料（又は著作権を有する）、或いは、印刷枚数制限があるために暗号化がされている場合の印刷コンテンツ９０６の流れを示すデータフロー図を図５乃至図７に示した。図５は、印刷コンテンツ９０６が蓄積部２０３に格納されており、且つ、暗号復号処理がされている場合のデータフロー図である。かかる場合は、視聴者がデータ放送番組を視聴する以前に、放送局１０と視聴者との間で印刷コンテンツ９０６の印刷に関して契約がされていると考えられる。この場合の画面イメージは、図１７（ａ）で示したデータ放送画面イメージとは異なる。図５を参照するに、放送データ処理部２０２は、蓄積部２０３に格納されている印刷コンテンツ９０６を、識別情報合成部２１１に送る。識別情報合成部２１１では、オリジナルの印刷コンテンツ９０６に対して、印刷の識別及び印刷の状態を把握するための情報（以下、「識別情報９１０」と称する。）を合成する。その後、識別情報合成部２１１によって合成処理された印刷コンテンツ９０６’は、プリンタ入出力部２０７を介してプリンタ３０に送られる。また同時に、合成処理された印刷コンテンツ９０６’は、蓄積部２０３に再度蓄積される。これは、後にパターンマッチング処理部２１０にて、コンテンツ９０６’を使用するためである。なお、かかる合成処理については後述する。
【００４３】
図６は、印刷コンテンツ９０６が蓄積部２０３に格納されているが、暗号復号処理がされていない場合のデータフロー図である。かかる場合は、放送局１０と視聴者との間で印刷コンテンツ９０５の印刷に関してまだ契約がされていないと考えられる。図６を参照するに、放送データ処理部２０２は、蓄積部２０３に格納されている印刷コンテンツ９０６を、暗号復号部２１２に送り復号させた後、識別情報合成部２１１に送る。識別情報合成部２１１では、上述したのと同様に、識別情報９１０を合成する。その後、合成処理された印刷コンテンツ９０６’は、プリンタ入出力部２０７を介してプリンタ３０に送られる。同時に、合成処理された印刷コンテンツ９０６’は、蓄積部２０３に再度蓄積される。
【００４４】
図７は、蓄積部２０３に印刷コンテンツ９０６が格納されていない場合のデータフロー図である。かかる場合には、受信部２０５にて印刷コンテンツ９０６の受信処理を行ない、暗号復号部２１２にて復号させたものを、蓄積部２０３に蓄積させる。同時に復号後のデータは、識別情報合成部２１１にも送られ、上述したのと同様の処理がなされる。
【００４５】
ここで、識別情報合成部２１１による合成処理について説明する。識別情報９１０は、デジタルテレビ装置２０に、予め複数用意されており、識別情報合成部２１１にて、自動的に割り当てられる。この際、印刷コンテンツ９０６と、識別情報９１０との対応表を作成しておく。かかる対応表を用いて、後述する認識処理にて、該当する印刷コンテンツ９０６と、合成した識別情報９１０との対応を取る。なお、識別情報９１０は、デジタルテレビ装置２０ではなく、放送局１０が用意することもある。この場合は、印刷コンテンツ９０６の送信時又は送信される前に予め識別情報９１０がデジタルテレビ装置２０に送信されていることになる。また、印刷コンテンツ９０６に対する識別情報９１０の割り当て方についても、予め放送局１０側で指定することがある。この場合、放送局１０は、各々の印刷コンテンツ９０６に適した識別情報を割り当てることができる。
【００４６】
識別情報９１０は、プリンタ３０によって印刷出力された後、再度スキャナで読み取って識別するための要素が欠落、或いは、劣化しづらいものでなければならない。更に、印刷結果の一部が欠落しても識別できるものである必要がある。そのような条件を満たす識別情報９１０としては、例えば、図８に示すような、周期的な模様がある。図８に示す識別情報９１０の識別の条件は、点Ｐの円周の長さＬ１や各点間の長さＬ２などになる。かかる模様は、予め用意された印刷コンテンツ９０６の余白の部分に合成される。余白部分の指定は視聴コンテンツ９０２内に書かれる。余白部分の指定は、本実施形態では、視聴コンテンツ９０２内の上述した動作手順の中に記述される。この際、模様は人の目では認識しにくい色（又は認識しづらいインクを使用）で出力され、背景の一部として出力される。ここで、図８は、識別情報９１０が合成された印刷コンテンツ９０６’の一例を示す図である。なお、図８（ａ）は、印刷コンテンツ９０６自体が、有料又は印刷枚数制限がかかっている場合の例である。図８（ａ）を参照するに、識別情報９１０としての模様が、印刷コンテンツ９０６の背景として出力されている。図８（ｂ）は、印刷コンテンツ９０６の一部の画像が有料又は印刷枚数制限がかかっている場合の例である。図８（ｂ）を参照するに、該当する画像の周囲に識別情報９１０である模様が合成されている。
【００４７】
識別情報９１０の別の形態として電子透かしを使用することもある。電子透かしは、上述した条件を満たすと共に、画像上に加えても視聴者には識別しにくいため、図８に示したように予め余白部分を用意する必要がなくなる利点がある。
【００４８】
メモリカード入力部２０９は、メモリカードリーダ４０とのインターフェースであり、メモリカードリーダ４０によって読み込まれたメモリカードの中にある情報をデジタルテレビ装置２０内に取り込む。本実施形態では、メモリカードには、プリンタ３０によって出力された暗号復号化された印刷コンテンツ９０６’に関する情報（以下、「印刷コンテンツ９０６’’」と称する。）が蓄積されている。
【００４９】
メモリカード入力部２０９によって入力された印刷コンテンツ９０６’’は、パターンマッチング処理部２１０に渡される。パターンマッチング処理部２１０では、蓄積部２０３に蓄積されている印刷コンテンツ９０６と、識別情報合成部２１１によって割り当てられた識別情報９１０を用いて、印刷コンテンツ９０６’’とのパターンマッチングを行う。
【００５０】
プリンタ３０は、デジタルテレビ装置２０から印刷コンテンツ９０６とプリンタ制御情報９０５を受け取るための図示しないインターフェース部を有する。インターフェース部は、印刷後の結果などデジタルテレビ装置２０に返す時にも用いられる。プリンタ３０がデジタルテレビ装置２０に直接接続されるならば、インターフェース部はＩＥＥＥ１３９４などのシリアルバスとして具現化される。また、印刷コンテンツ９０６を実際に印刷するためのドライバや画像処理を行う手段も更に有する。しかし、かかる手段はデジタルテレビ装置２０側に設けることもあり、その場合にはプリンタ３０側に設ける必要はない。
【００５１】
メモリカードリーダ４０は、内部に記憶済みの印刷コンテンツ９０６’を、デジタルテレビ装置２０からアクセス可能な図示しないインターフェース部を有する。上述したのと同様に、メモリカードリーダ４０がデジタルテレビ装置２０に直接接続されるならば、インターフェース部はＩＥＥＥ１３９４などのシリアルバスとして具現化される。なお、デジタルテレビ装置２０がメモリカードの入力用のスロットを有している場合もあり、その場合には、メモリカードリーダ４０は不要となる。即ち、印刷コンテンツ９０６’を記憶しているメモリカードをデジタルテレビ装置２０のスロットに挿入することで、デジタルテレビ装置２０からのアクセスを可能とする。メモリカードとしては、ＣＦカード、ＳＤカード及びメモリスティックなどがある。
【００５２】
次に、印刷システム１による印刷コンテンツ９０６の印刷確認処理について説明する。図９は、図１に示す印刷システム１による印刷コンテンツ９０６の印刷確認処理を示すフローチャートである。図９を参照するに、印刷確認処理は、印刷処理（ステップＳ６０１）、再入力処理（ステップＳ６０３）及び認識／判定処理（ステップＳ６０４）に分けられる。
【００５３】
図１０は、図９に示すステップＳ６０１の印刷処理の詳細を示すフローチャートである。図１０（ａ）にはデジタルテレビ装置２０による処理を示し、図１０（ｂ）にはプリンタ３０による処理を示してある。
【００５４】
図１７（ｂ）に示したデータ放送画面上にて、視聴者が印刷実行のためのリモコンキーを押すと、デジタルテレビ装置２０は、図３、図４又は図５に示したデータフローのいずれかを実行する。その際、印刷コンテンツ９０６に対して識別情報９１０の合成を行う（ステップＳ７０１）。その後、プリンタ３０の状態を確認する（ステップＳ７０２）。プリンタ３０が接続されていない、或いは、プリンタ３０の電源が入っていないなど印刷が不可能な場合には、後のステップには進まず、処理を終了する。また、プリンタ３０が接続されている場合は、印刷に必要なフォントがプリンタ３０側に存在するか、インクは必要量以上に残っているか、紙は正しくセットされているか等を確認する。かかる確認手段としては、プリンタ３０のみでなく、視聴者に対して提示して確認を行うことにしてもよい。
【００５５】
ステップＳ７０２にてプリンタ３０が印刷可能な場合、デジタルテレビ装置２０は、合成された印刷コンテンツ９０６’を、プリンタ入出力部２０７を介してプリンタ３０に送信する。また、同時に印刷のための印刷設定情報９０５も送信する（ステップＳ７０３）。印刷のための印刷設定情報９０５の中には、印刷する枚数の情報が含まれる。印刷枚数は視聴コンテンツ９０２に記述される場合もあれば、視聴者が画面上でリモコンを用いて決定できる場合もある。
【００５６】
プリンタ３０は、ステップＳ７０３にて送信された印刷コンテンツ９０６及び印刷のための印刷設定情報９０５を受信する（ステップＳ７０４）と、印刷するための処理を行って必要枚数だけプリントアウトする（ステップＳ７０５）。なお、ステップＳ７０５の前に画像に関する処理を行う場合は、識別情報９１０を認識処理にて認識できる範囲にとどめる必要がある。プリンタ３０は、印刷が終わると終了通知をデジタルテレビ装置２０に送信する（ステップＳ７０６）。
【００５７】
合成された印刷コンテンツ９０６’が有料の場合、デジタルテレビ装置２０は、プリンタ３０から終了通知を受け取り（ステップＳ７０７）、印刷が無事終了したのを確認し（ステップＳ７０８）、課金処理を行う（ステップＳ７０９）。また、印刷コンテンツ９０６’の再印刷を制限する場合は、蓄積部２０３に蓄積された印刷コンテンツ９０６を破棄するなどの再印刷制限処理が行われる。課金処理の場合、課金情報は永続記憶情報９１１として永続記憶部２０８に記憶される。永続記憶情報９１１は、あるタイミングで、モデム２０６を介して放送局１０に送信される。再印刷を制限する場合にも、永続記憶部２０８に、印刷コンテンツ９０６自体の識別情報と、印刷累計枚数、再印刷の許可・不許可の情報が記憶される。
【００５８】
ステップＳ７０９後、視聴者に対して、印刷が実際に上手くいったが確認する画面が提示される（ステップＳ７１０）。なお、本実施形態では、ステップＳ７０７におけるプリンタ３０からの終了通知後に、課金処理及び再印刷の制限処理（ステップＳ７０９）を行っているが、かかる処理は他のタイミングで行ってもよい。例えば、デジタルテレビ装置２０の暗号復号部２０３における暗号復号化のタイミングで行ってもよい。その場合は、ステップＳ７０２にて印刷が不可能な場合や、ステップＳ７０６にて何らかの原因で印刷が失敗した通知を受け取った場合に、課金を取り消す処理又は再印刷の制限を取り消す処理が別に必要となる。
【００５９】
図９に戻って、視聴者は、印刷処理（Ｓ６０１）によって得られた印刷の一部に欠陥が見られた場合、印刷の確認画面を用いて、印刷の失敗を通知する（ステップＳ６０２）。デジタルテレビ装置２０は、失敗の通知を受け取ると、再入力処理を行う（ステップＳ６０３）。
【００６０】
図１１は、図９に示すステップＳ６０３の再入力処理の詳細を示すフローチャートである。図１１（ａ）にはデジタルテレビ装置２０による処理を示し、図１１（ｂ）には、メモリカードリーダ４０による処理を示してある。まず、デジタルテレビ装置２０は、メモリカードリーダ４０の状態を確認する（ステップＳ８０１）。メモリカードリーダ４０が接続されていないなどメモリカードの入力が不可能な場合は、後のステップには進まず、処理を終了する。
【００６１】
メモリカードリーダ４０が使用可能な場合、デジタルテレビ装置２０は、視聴者に対して、失敗画像の入力が可能か確認を行う（ステップＳ８０２）。視聴者は、スキャナ等を用いて失敗画像をメモリカードに取り込む手段を持っている場合には、かかる手段を用いてメモリカードに失敗画像を取り込み、メモリカードリーダ４０に入力する。メモリカードリーダ４０は、メモリカードが入力されると、デジタルテレビ装置２０に通知する（ステップＳ８０３）。
【００６２】
デジタルテレビ装置２０は、失敗画像の取得を行った後（ステップＳ８０４）、失敗種類の選択一覧を提示する（ステップＳ８０５）。失敗種類の選択一覧には、紙が要因となる失敗や、インクやプリンタが要因となる失敗及び設定が要因となる失敗など、主な失敗例が全て提示される。これは後述する認識手段にて、デジタルテレビ装置２０が失敗の状態を認識しやすくするために行う。
【００６３】
図９に戻って、視聴者がステップＳ８０５において失敗種類の選択を終えると、デジタルテレビ装置２０は、認識／判定処理を行う（ステップＳ６０４）。
【００６４】
図１２は、図９に示すステップＳ６０４の認識／判定処理の詳細を示すフローチャートである。まず、デジタルテレビ装置２０は、パターンマッチング処理部２１０において、取得した失敗画像（以下、「印刷コンテンツ９０６’’」と称する。）から識別情報９１０を抽出する（ステップＳ９０１）。パターンマッチング処理部２１０は、識別情報合成部２１１において合成された識別情報９１０と該当する印刷コンテンツ９０６との対応表を有し、印刷コンテンツ９０６’’が該当する印刷コンテンツであるかの判断を、印刷コンテンツ９０６’’中の識別情報９１０の有無により判断する。識別情報９１０は、印刷が失敗しても認識できるようなものになっている。
【００６５】
図１３（ａ）及び図１３（ｂ）は、印刷コンテンツ９０６の印刷が失敗した場合の例を示す図である。図１３に示すような場合でも認識できるものが識別情報９１０となる。図８（ａ）に示した模様を識別情報９１０とした場合、個々の模様の形状及び模様間の長さ等が識別のための情報となる。ステップＳ９０１では、視聴者による失敗種類の選択の結果を用いて、識別率を高める。
【００６６】
例えば、識別情報９１０が斜めに印刷されても認識しやすいようにする。ステップＳ９０１にて、識別情報９１０が得られた場合、デジタルテレビ装置２０は、印刷コンテンツ９０６’’が、該当する印刷コンテンツ９０６であるとみなし、蓄積部２０３内にある合成された印刷コンテンツ９０６’と印刷コンテンツ９０６’’との比較を行う（ステップＳ９０２）。比較の結果、印刷コンテンツ９０６’と印刷コンテンツ９０６’’との差異がある閾値以上の場合は、課金を取り消す又は再印刷を許可する（ステップＳ９０３）。閾値は、印刷コンテンツ９０６の内容によって変化する。文字を多用しているコンテンツや画像のみのコンテンツなどによって閾値は変わる。また、印刷コンテンツ９０６が有料の場合、印刷コンテンツ９０６の料金によっても変化してくる。デジタルテレビ装置２０は、上記の一連の処理が終了すると、上記認識／判定処理の結果を視聴者に提示する（ステップＳ９０４）。
【００６７】
本実施形態によれば、デジタルテレビ装置２０に、プリンタ３０及びスキャナ５０が直接、或いは、ネットワークを介して接続された印刷システム１において、デジタルデータ放送を介して取得した有料又は印刷枚数制限がある印刷コンテンツ９０６の印刷が失敗した際に、識別情報９１０を印刷コンテンツ９０６に合成して印刷する印刷手段と、印刷コンテンツ９０６を再度デジタルテレビ装置２０内に取り込む再入力手段と、取り込んだ画像からそれが該当する印刷コンテンツ９０６であることを認識すると共に、印刷失敗の状態を認識できる認識手段を設けることで、視聴者にとっては、失敗した印刷物に対して、課金を取り消すことが可能又は再印刷が可能となる。また、放送事業者にとっては、全てがデジタルテレビ装置２０側で完結するため、印刷失敗に対するサポートによるコストの増大や時間のロスを低減させることが可能となる。
【００６８】
図１４は、図１に示す印刷システム１の変形例である印刷システム１Ａの全体構成を示すブロック図である。図１４を参照するに、印刷システム１Ａは、図１に示す印刷システム１と異なり、メモリカードリーダ４０ではなく、スキャナ５０が直接、或いは、ネットワークを介してデジタルテレビ装置２０に接続されている。印刷システム１Ａは、図９に示すステップＳ６０３の再入力処理にて行われる印刷コンテンツ９０６の失敗画像（以下、「印刷コンテンツ９０６’’」と称する。）の入力に、スキャナ５０を用いる。
【００６９】
デジタルテレビ装置２０は、図２で示した構成にスキャナ入力部２１３が追加される。スキャナ入力部２１３は、スキャナ５０とのインターフェース部であり、スキャナ５０によって読み込まれた情報をデジタルテレビ装置２０内に取り込む。本実施形態では、スキャナ５０から印刷コンテンツ９０６’’を読み込む。スキャナ入力部２０９を介して入力された印刷コンテンツ９０６’’は、パターンマッチング処理部２１０に渡される。パターンマッチング処理部２１０では、蓄積部２０３に格納されている合成された印刷コンテンツ９０６’と、識別情報合成部２１１によって割り当てられた識別情報９１０を用いて、入力された印刷コンテンツ９０６’’とのパターンマッチングを行う。
【００７０】
プリンタ３０の構成は、印刷システム１のときと同様である。スキャナ５０は、読み込んだ印刷コンテンツ９０６’’を、デジタルテレビ装置２０に入力するインターフェース部を有する。上述したのと同様に、スキャナ５０がデジタルテレビ装置２０に直接接続されるならば、インターフェース部はＩＥＥＥ１３９４などのシリアルバスとして具現化される。なお、プリンタ３０がスキャナ機能を有している場合もあり、その場合には、スキャナ５０はプリンタ４０と一体構成となる。
【００７１】
印刷システム１Ａによる印刷コンテンツ９０６の印刷確認処理は、印刷システム１と同様に、図９に示したフローチャートに従って処理される。ステップＳ６０１の印刷処理も印刷システム１と同様になる。
【００７２】
ステップＳ６０３の再入力処理では、再入力処理の詳細なフローチャートである図１１のメモリカードリーダ４０がスキャナ５０に置換される。図１１において、デジタルテレビ装置２０によって、失敗画像の入力待ち画面が提示されると（ステップＳ８０２’）、スキャナ５０は、読み込んだ入力画像（印刷コンテンツ９０６’’）をデジタルテレビ装置２０に送信する（ステップＳ８０３’）。デジタルテレビ装置２０は、失敗画像の取得を行った後（ステップＳ８０４’）、失敗種類の選択一覧を提示する（ステップＳ８０５’）。図９に示すステップＳ６０４の認識／判定処理も印刷システム１と同様になる。
【００７３】
本実施形態によれば、デジタルテレビ装置２０に、プリンタ３０及びスキャナ５０が直接、或いはネットワークを介して接続された印刷システム１Ａにおいて、印刷システム１と同様の効果を得ることができる。
【００７４】
また、印刷システム１では、プリンタ３０によって出力された印刷コンテンツ９０６’を、再度デジタルテレビ装置２０に入力するために、一度、何らかの方法によって、メモリカードに印刷コンテンツ９０６’を格納する作業が必要であった。例えば、ＰＣに接続されたスキャナによって印刷コンテンツ９０６’を読み込んだ後、メモリカードに印刷コンテンツ９０６を格納することが考えられる。しかし、印刷システム１Ａでは、スキャナ５０から直接読み込むため、上述したようなメモリカードに格納する作業が省略でき、視聴者にとっては、煩雑さが解消される。
【００７５】
図１５は、図１に示す印刷システム１の変形例である印刷システム１Ｂの全体構成を示すブロック図である。印刷システム１Ｂは、スキャナ５０がＰＣ６０を介してインターネット７０経由で、デジタルテレビ装置２０に接続されている。印刷システム１Ｂは、図９に示すステップＳ６０３の再入力処理において、スキャナ５０にて読み込んだ失敗画像（以下、「印刷コンテンツ９０６’’」と称する。）を、デジタルテレビ装置２０にモデム２０６経由で入力する。
【００７６】
デジタルテレビ装置２０は、図２で示した構成となる。印刷システム１Ｂにおいては、スキャナ５０から読み込んだ印刷コンテンツ９０６’’は、モデム２０９を介してパターンマッチング処理部２１０に渡される。パターンマッチング処理部２１０では、蓄積部２０３に蓄積されている合成された印刷コンテンツ９０６’と、識別情報合成部２１１によって割り当てられた識別情報９１０を用いて、入力された印刷コンテンツ９０６’’とのパターンマッチングを行う。
【００７７】
プリンタ３０の構成は、印刷システム１と同様である。スキャナ５０は、ＰＣ６０との入出力インターフェース部を有する。
【００７８】
印刷システム１Ｂによる印刷コンテンツ９０６の印刷確認処理は、印刷システム１Ｂと同様になる。
【００７９】
本実施形態によれば、デジタルテレビ装置２０に、プリンタ３０が直接、或いは、ネットワークを介して接続され、スキャナ５０がＰＣ６０を介しインターネット７０経由で接続されている印刷システム１Ｂにおいて、印刷システム１及び１Ａと同様の効果を得ることができる。
【００８０】
また刷システム１及び１Ａでは、プリンタ３０によって出力された印刷コンテンツ９０６’を、再度デジタルテレビ装置２０に入力するために、近くにスキャナ５０又はメモリカードリーダ４０などの入力装置がなければならなかった。しかし、印刷システム１Ｂでは、インターネット７０経由で失敗画像を読み込むため、万一、近くに入力機器がなくても、失敗画像の再入力が可能となる効果を更に有する。
【００８１】
本発明によれば、デジタルデータ放送を介して取得した有料又は制限がある印刷コンテンツの印刷が失敗した際に、その失敗をデジタルテレビ装置側のシステムだけで認識できることで、視聴者にとっては、有料又は制限のある印刷コンテンツの印刷がしやすくなる。また、放送事業者にとっても、全てがデジタルテレビ装置側で完結するため、印刷失敗に対するサポートによるコストの増大や時間のロスを低減させることができる。
【００８２】
以上、本発明の好ましい実施例について説明したが、本発明はこれらの実施例に限定されないことはいうまでもなく、その要旨の範囲内で種々の変形及び変更が可能である。
【図面の簡単な説明】
【００８３】
【図１】本発明の一側面としての印刷システムの全体構成を示すブロック図である。
【図２】図１に示すデジタルテレビ装置の構成を示すブロック図である。
【図３】印刷コンテンツが蓄積部に格納されている場合のデータフロー図である。
【図４】印刷コンテンツが蓄積部に格納されていない場合のデータフロー図である。
【図５】印刷コンテンツが蓄積部に格納されており、且つ、暗号復号処理がされている場合のデータフロー図である。
【図６】印刷コンテンツが蓄積部に格納されているが、暗号復号処理がされていない場合のデータフロー図である。
【図７】蓄積部に印刷コンテンツが格納されていない場合のデータフロー図である。
【図８】識別情報が合成された印刷コンテンツの一例を示す図である。
【図９】図１に示す印刷システムによる印刷コンテンツの印刷確認処理を示すフローチャートである。
【図１０】図９に示すステップＳ６０１の印刷処理の詳細を示すフローチャートである。
【図１１】図９に示すステップＳ６０３の再入力処理の詳細を示すフローチャートである。
【図１２】図９に示すステップＳ６０４の認識／判定処理の詳細を示すフローチャートである。
【図１３】印刷コンテンツの印刷が失敗した場合の例を示す図である。
【図１４】図１に示す印刷システムの変形例である印刷システムの全体構成を示すブロック図である。
【図１５】図１に示す印刷システムの変形例である印刷システムの全体構成を示すブロック図である。
【図１６】データ放送番組中に視聴者に印刷を促す形態の例を示す図である。
【図１７】データ放送番組中に視聴者に有料の印刷を促す形態の例を示す図である。
【符号の説明】
【００８４】
１、１Ａ、１Ｂ                  印刷システム
１０                            放送局
２０                            デジタルテレビ装置
３０                            プリンタ
４０                            メモリカードリーダ
５０                            スキャナ
６０                            ＰＣ
７０                            インターネット
８０                            通信衛星
２０１                          表示部
２０２                          放送データ処理部
２０３                          蓄積部
２０４                          リモコン入力部
２０５                          受信部
２０６                          モデム
２０７                          プリンタ入出力部
２０８                          永続記憶部
２０９                          メモリカード入力部
２１０                          パターンマッチング部
２１１                          識別情報合成部
２１２                          暗号復号部
９０１                          リモコン情報
９０２                          視聴コンテンツ
９０４                          モデム制御情報
９０５                          印刷設定情報
９０６                          印刷コンテンツ
９０７                          表示制御情報
９１０                          識別情報
【図１】
2005173757.tif 000003
【図２】
2005173757.tif 000004
【図３】
2005173757.tif 000005
【図４】
2005173757.tif 000006
【図５】
2005173757.tif 000007
【図６】
2005173757.tif 000008
【図７】
2005173757.tif 000009
【図８】
2005173757.tif 000010
【図９】
2005173757.tif 000011
【図１０】
2005173757.tif 000012
【図１１】
2005173757.tif 000013
【図１２】
2005173757.tif 000014
【図１３】
2005173757.tif 000015
【図１４】
2005173757.tif 000016
【図１５】
2005173757.tif 000017
【図１６】
2005173757.tif 000018
【図１７】
2005173757.tif 000019